【事件の表示】
　特願２００７−　７３６６１「印刷装置及び印刷用プログラム」拒絶査定不服審判事件〔平成２０年１０月　２日出願公開、特開２００８−２３００７０〕について、次のとおり審決する。
【結　論】
　本件審判の請求は、成り立たない。
【理　由】
１　手続の経緯
　本願は、平成１９年３月２０日に出願したものであって、平成２１年６月２５日付けで手続補正がなされ、同年８月３日付けで拒絶査定がなされ、これに対し、同年１１月１０日付けで拒絶査定に対する審判請求がなされると同時に特許請求の範囲についての手続補正がなされたものである。
　その後、平成２２年７月２７日付けで、審判請求人に前置報告書の内容を示し意見を求めるための審尋を行ったが、回答がなかったものである。
　
２　平成２１年１１月１０日付けの手続補正についての補正却下の決定
［補正却下の決定の結論］
　平成２１年１１月１０日付けの手続補正（以下「本件補正」という。）を却下する。
［理由］
（１）補正後の本願発明
　本件補正は、特許請求の範囲について補正するものであり、本件補正により、特許請求の範囲の請求項１は、
「画像データのデータ数を取得するデータ取得手段と、
　複数種類の画像個数であって、各々が１枚の用紙に印刷可能な画像の個数を示す、前記複数種類の画像個数を記憶する画像個数記憶手段と、
　取得されたデータ数と、前記複数種類の画像個数と、に基づいて、印刷に使用される用紙の枚数である使用用紙枚数を、印刷に使用される各用紙に前記印刷可能な画像の個数と共に、複数種類表示する印刷枚数表示手段と、
　前記取得されたデータ数と、複数種類の前記使用用紙枚数のうちのユーザによって選択された１種類の前記使用用紙枚数と、に基づいて、各用紙１枚当たりの画像の個数、配置、及び画像サイズを決定する印刷パターン決定手段と、
　前記印刷パターン決定手段による決定に基づいて印刷を実行する印刷手段と、
　を有するものであることを特徴とする印刷装置。」
から
「画像データのデータ数を取得するデータ取得手段と、
　複数種類の画像個数であって、各々が１枚の用紙に印刷可能な画像の個数を示す、前記複数種類の画像個数を記憶する画像個数記憶手段と、
　取得されたデータ数と、前記複数種類の画像個数と、に基づいて、印刷に使用される用紙の枚数である使用用紙枚数を、印刷に使用される各用紙に前記印刷可能な画像の個数と共に、複数種類
同時に
であって、前記使用用紙枚数と前記印刷可能な画像の個数との複数種類の組み合わせの同時表示は、ユーザによって前記使用用紙枚数に関係する枚数情報が入力されていない状態で実行され、表示される前記複数種類の使用用紙枚数のうちの最大値は、前記取得されたデータ数と等しく設定されている、前記印刷枚数表示手段
　前記取得されたデータ数と、複数種類の前記使用用紙枚数のうちのユーザによって選択された１種類の前記使用用紙枚数と、に基づいて、各用紙１枚当たりの画像の個数、配置、及び画像サイズを決定する印刷パターン決定手段と、
　前記印刷パターン決定手段による決定に基づいて印刷を実行する印刷手段と、
　を有するものであることを特徴とする印刷装置。」
と補正された（下線は、審決で付した。以下、同様。）。
　
　上記補正は、補正前の請求項１に記載した発明を特定するために必要な事項である「印刷枚数表示手段」の「印刷に使用される用紙の枚数である使用用紙枚数を、印刷に使用される各用紙に前記印刷可能な画像の個数と共に、複数種類表示する」ことについて、「複数種類
同時に
　
　そこで、本件補正後の請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
（２）引用刊行物
　本願の出願前に頒布された特開２００２−３００３６９号公報（以下「刊行物１」という。）には、以下の記載が図とともにある。
　ア　【請求項１】
原稿搬送装置によって読み込んだ複数の画像データを用紙上に集約して記録する集約モードを有する画像形成装置において、原稿搬送装置が読み込んだ原稿枚数に基づいて、集約モードの条件を表示する表示手段を備えたことを特徴とする画像形成装置
【請求項２】原稿搬送装置によって読み込んだ複数の画像データを用紙上に集約して記録する集約モードを有する画像形成装置において、原稿搬送装置が読み込んだ原稿枚数に基づいて、集約モードの条件を表示する表示手段と、
表示手段において、集約モードの条件を選択する選択手段とを有することを特徴とする画像形成装置
【請求項３】原稿画像読み込み後に検出された原稿枚数と、
用紙１枚に集約される画像データの割付個数と
　イ　【００２５】次に、図４〜図１１に示す操作パネルの各種画面を及び、図１２に示すフローチャートを参照して、本実施の形態における各種モードの処理手順等を順に説明する。図１２に示すフローチャートにおいて、本発明を説明する。Ｓ１０１では、操作表示部において集約機能の有無を選択する。集約機能を選択すれば、Ｓ１０２へと進み、スタートボタンをＯＮする。Ｓ１０３へと進み、複数原稿の画像読取りを実行し、Ｓ１０４において原稿の全体枚数Ｎを検出する。次いで、Ｓ１０５において原稿枚数Ｎを元にして、各集約枚数における用紙の必要枚数、用紙の最終ページにおける画像余白部の数などを明示した集約モード一覧表を表示する。Ｓ１０６において、集約モード一覧表から集約モード（Ｍｉｎ１）を選択し、Ｓ１０７において、実際の画像出力を実行し、Ｓ１０８において終了する。Ｓ１０１において集約機能を選択せずに通常モードを選択するとＳ２０１へと進み、スタートボタンをＯＮした後、Ｓ２０２において複数原稿の画像読取りを実行する。次いで、Ｓ２０３において通常モードでの画像出力を実行し、Ｓ１０８において終了する。
【００２６】次にフローチャートに対応した操作表示内容を順をおって詳述する。本実施形態は原稿が各々Ａ４サイズであってその全体枚数は不明である。最初に、複写機の通常の待機状態の操作表示部を図４に示す。“機能”を選択（押す）と図５に示すように“機能”が黒文字から白ぬけ文字に反転し、“白黒反転”“鏡像”“分割”“マージン”“枠消し”“集約”の各機能が表示される。“集約”機能選択部を押すと図６に示すように、集約機能の選択を確認し、集約モードの具体的条件の設定タイミングに関して『原稿読取りの終了後』と『この後、直ちに』の何れかを問う表示がなされる。図６においては『原稿読取り終了後』を選択の為に押すことによって、白黒が反転表示され図７へと進む。図７において原稿読取りを実行する旨、及びプリントボタンＯＮを促す表示がなされる。図８において原稿読み込みが開始されたことが表示される。図９において原稿読み込みが１９枚目で終了したことが表示される。次いで図１０において原稿読取り枚数が１９枚であったこと、及び集約モードの各条件において必要な用紙枚数と用紙の最終ページにおける画像の割り付けられない余白の個数（余白無き場合は０個）が表示され、各条件から条件を選択することを促す表示がなされる。具体的には、この画像形成装置の場合、１０図において集約枚数は２ｉｎ１と３ｉｎ１と４ｉｎ１と８ｉｎ１の各条件が選択可能である。２ｉｎ１を選択すると必要な用紙は１０枚であること、最終の１０ページ目に発生する余白が１個であることが表示されている。３ｉｎ１を選択すると必要な用紙は７枚であること、最終の７ページ目に発生する余白が２個であることが表示されている。４ｉｎ１を選択すると必要な用紙は５枚であること、最終の５ページ目に発生する余白が１個であることが表示されている。８ｉｎ１を選択すると必要な用紙は３枚であること、最終の３ページ目に発生する余白が５個であることが表示されている。
使用者は
表示された必要な用紙枚数
などを判断して、使用者にとって適切な集約枚数を選択することが可能である
表中の“２ｉｎ１”“３ｉｎ１”“４ｉｎ１”“８ｉｎ１”の何れかを選択の為に押すと、選択した“集約枚数”と“用紙枚数”
の情報が白黒反転表示され
プリントボタンを押すことによって、実際のコピーが開始される
【００２７】本実施形態においては、読み込んだ原稿について集約しているが、これに限定されるものではなくパソコン等で送付された画像データ、メモリに蓄積された画像データにも応用できる。
　ウ　【図１０】は、原稿読み込みページ数１９枚に対して、各集約モードにおける具体的条件の選択を促し、４ｉｎ１を選択したことを示す操作パネルの画面例を示すものであって、用紙枚数を、集約枚数と共に、
複数種類同時に表示
　
　上記記載及び図面を含む刊行物１全体の記載から、刊行物１には、以下の発明が記載されていると認められる。
「原稿搬送装置によって読み込んだ複数の画像データを用紙上に集約して記録する集約モードを有する画像形成装置において、原稿搬送装置が読み込んだ原稿枚数に基づいて、集約モードの条件を表示する表示手段を備え、
　前記表示手段は、集約モードの条件を選択する選択手段を有し、用紙１枚に集約される画像データの割付個数を表示するものであって、
　前記表示手段は、用紙枚数を、集約枚数と共に、複数種類同時に表示し、
　使用者は、表示された必要な用紙枚数などを判断して、使用者にとって適切な集約枚数を選択することが可能であり、“２ｉｎ１”“３ｉｎ１”“４ｉｎ１”“８ｉｎ１”の何れかを選択の為に押すと、選択した“集約枚数”と“用紙枚数”の情報が白黒反転表示され、次いでプリントボタンを押すことによって、実際のコピーが開始される画像形成装置。」（以下「引用発明１」という。）
　
（３）対比
　ａ　本願補正発明と引用発明１とを比較すると、引用発明１の「原稿搬送装置が読み込んだ原稿枚数」、「『用紙１枚に集約される画像データの割付個数』、『集約枚数』又は『“２ｉｎ１”“３ｉｎ１”“４ｉｎ１”“８ｉｎ１”』」、「用紙枚数」、「表示手段」、「使用者」及び「画像形成装置」は、それぞれ本願補正発明の「画像データのデータ数」、「『１枚の用紙に印刷可能な画像の個数を示す』『画像個数』」、「印刷に使用される用紙の枚数である使用用紙枚数」、「印刷枚数表示手段」、「ユーザ」及び「印刷装置」に相当する。
　ｂ　引用発明１の「画像形成装置」は「原稿搬送装置が読み込んだ原稿枚数に基づいて、集約モードの条件を表示する」ものであるから、画像データのデータ数を取得するデータ取得手段を有するものといえる。
　ｃ　引用発明１の「画像形成装置」は「“２ｉｎ１”“３ｉｎ１”“４ｉｎ１”“８ｉｎ１”の何れかを選択」できるものであるから、複数種類の画像個数であって、各々が１枚の用紙に印刷可能な画像の個数を示す、前記複数種類の画像個数を記憶する画像個数記憶手段を有するものといえる。
　ｄ　引用発明１の「表示手段」（印刷枚数表示手段）は「原稿搬送装置が読み込んだ原稿枚数に基づいて、集約モードの条件を表示する」ものであって、「用紙枚数を、集約枚数と共に、複数種類同時に表示」するから、取得されたデータ数と、複数種類の画像個数と、に基づいて、印刷に使用される用紙の枚数である使用用紙枚数を、印刷に使用される各用紙に前記印刷可能な画像の個数と共に、複数種類同時に表示するものといえる。そして、引用発明１は「使用者は、表示された必要な用紙枚数などを判断して、使用者にとって適切な集約枚数を選択することが可能」なものであるから、前記使用用紙枚数と前記印刷可能な画像の個数との複数種類の組み合わせの同時表示は、ユーザによって前記使用用紙枚数に関係する枚数情報が入力されていない状態で実行されることは当業者に自明である。
　ｅ　引用発明１は「原稿搬送装置が読み込んだ原稿枚数」が定まれば、各集約モードの条件毎に、集約枚数と用紙枚数は、それぞれ定まって表示され、「使用者にとって適切な集約枚数を選択する」と自動的に用紙枚数（使用用紙枚数）も定まり、それに基づいて、各用紙１枚当たりの画像の個数、配置、及び画像サイズが決定されることは当業者に自明であるから、取得されたデータ数と、複数種類の使用用紙枚数のうちのユーザによって選択された１種類の前記使用用紙枚数と、に基づいて、各用紙１枚当たりの画像の個数、配置、及び画像サイズを決定する印刷パターン決定手段を有するものといえる。
　ｆ　引用発明１は「プリントボタンを押すことによって、実際のコピーが開始される」ものであるから、印刷パターン決定手段による決定に基づいて印刷を実行する印刷手段を有するものといえる。
　ｇ　上記ａないしｆから、本願補正発明と引用発明１は、
「画像データのデータ数を取得するデータ取得手段と、
　複数種類の画像個数であって、各々が１枚の用紙に印刷可能な画像の個数を示す、前記複数種類の画像個数を記憶する画像個数記憶手段と、
　取得されたデータ数と、前記複数種類の画像個数と、に基づいて、印刷に使用される用紙の枚数である使用用紙枚数を、印刷に使用される各用紙に前記印刷可能な画像の個数と共に、複数種類同時に表示する印刷枚数表示手段であって、前記使用用紙枚数と前記印刷可能な画像の個数との複数種類の組み合わせの同時表示は、ユーザによって前記使用用紙枚数に関係する枚数情報が入力されていない状態で実行される、前記印刷枚数表示手段と、
　前記取得されたデータ数と、複数種類の前記使用用紙枚数のうちのユーザによって選択された１種類の前記使用用紙枚数と、に基づいて、各用紙１枚当たりの画像の個数、配置、及び画像サイズを決定する印刷パターン決定手段と、
　前記印刷パターン決定手段による決定に基づいて印刷を実行する印刷手段と、
　を有するものである印刷装置。」
の点で一致し、以下の点で相違している。
　
［相違点１］印刷枚数表示手段に関し、本願補正発明は「表示される前記複数種類の使用用紙枚数のうちの最大値は、前記取得されたデータ数と等しく設定されている」と特定されているのに対し、引用発明１は、そのように設定されているものではない点。
　
（４）判断
　上記相違点１について検討する。
　印刷モードの選択肢として集約モードとともに等倍印刷（１ｉｎ１）も表示することは、本願出願前周知技術（特開２００６−２８７９１５号公報、特に段落【００３４】、【図６】、特開２００４−３０２６０号公報、段落【００６３】、【図６】）であるから、引用発明１に該周知技術を適用することは、当業者が容易になし得る程度のことであり、その際、等倍印刷の表示を集約モードの表示と同様に、「印刷に使用される用紙の枚数である使用用紙枚数」を「印刷に使用される各用紙に前記印刷可能な画像の個数」と共に表示することは、設計事項に過ぎず、等倍印刷での使用要旨枚数が取得されたデータ数と等しくなることは、当業者に自明である。
　よって、引用発明１において、本願補正発明の上記相違点１に係る構成となすことは、周知技術に基づいて当業者が容易になし得る程度のことである。
　
　以上のとおりであるから、本願補正発明の相違点１に係る構成は、刊行物１に記載された発明及び周知技術に基づいて当業者が容易に想到することができたものであり、それにより得られる効果も当業者が予測できる範囲のものである。
　
　したがって、本願補正発明は、刊行物１に記載された発明及び周知技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３　本願発明について
（１）平成２１年１１月１０日付けの手続補正は上記のとおり却下されたので、本願の請求項１ないし６に係る発明は、平成２１年６月２５日付け手続補正後の特許請求の範囲、明細書及び図面からみて、その特許請求の範囲の請求項１ないし６に記載された事項により特定されるとおりのものと認められるところ、その請求項１に係る発明（以下「本願発明」という。）は、次のとおりである。
　
「画像データのデータ数を取得するデータ取得手段と、
　複数種類の画像個数であって、各々が１枚の用紙に印刷可能な画像の個数を示す、前記複数種類の画像個数を記憶する画像個数記憶手段と、
　取得されたデータ数と、前記複数種類の画像個数と、に基づいて、印刷に使用される用紙の枚数である使用用紙枚数を、印刷に使用される各用紙に前記印刷可能な画像の個数と共に、複数種類表示する印刷枚数表示手段と、
　前記取得されたデータ数と、複数種類の前記使用用紙枚数のうちのユーザによって選択された１種類の前記使用用紙枚数と、に基づいて、各用紙１枚当たりの画像の個数、配置、及び画像サイズを決定する印刷パターン決定手段と、
　前記印刷パターン決定手段による決定に基づいて印刷を実行する印刷手段と、
　を有するものであることを特徴とする印刷装置。」
　
（２）引用刊行物
　本願の出願前に頒布され、原査定の拒絶の理由に引用された特開２００２−３５８１８９号公報（以下「刊行物２」という。）には、以下の記載が図とともにある。
　エ　【請求項１】
原画像における印刷要求枚数を確認する印刷要求枚数確認行程と
出力用紙における印刷出力枚数を認識する印刷出力枚数認識行程と
上記印刷要求枚数の原画像を上記印刷出力枚数以内の出力用紙に印刷するにあたって、出力用紙１枚あたりに印刷すべき原画像の枚数を演算する演算行程と
上記演算行程での演算結果に基づいて、上記印刷要求枚数の原画像を上記印刷出力枚数内の出力用紙に印刷可能となる印刷条件を設定する印刷条件設定行程とを有する印刷条件設定方法
・・・
【請求項１２】上記請求項１ないし１１の何れかに記載の印刷条件設定方法
を用いて、印刷条件の設定を行なうことを特徴とする画像形成装置
　オ　【０１０３】先ず、
ユーザが、その一部のジョブに対する出力制限枚数（印刷出力枚数）ａを設定する
【０１０４】尚、本実施の形態においては、上記Ｓ１、Ｓ２、およびＳ４のそれぞれが、特許請求の範囲に記載の印刷出力枚数認識行程、出力部数認識行程、および印刷要求枚数確認行程に相当する。
【０１０５】上記スタートキーの押下により、
画像読取部３は、セットされた原稿の読み取り動作を開始し、読み取り動作の実施と同時に原稿枚数（印刷要求枚数）ｃをカウントする
【０１０６】次に、上記Ｓ１、Ｓ２で設定された出力制限枚数ａおよび出力部数ｂと、上記Ｓ４でカウントされた原稿枚数ｃとにより、１枚の出力用紙に対して印刷されるべき印刷原稿頁数ｄが中央処理ユニット６５にて計算され、印刷原稿頁数ｄが設定される（Ｓ５）。
【０１０７】ここで、上記Ｓ５における印刷原稿頁数ｄの計算方法を、図４のフローチャートを参照して、具体例を交えながらより詳細に説明する。
【０１０８】上記印刷原稿頁数ｄの計算は、（出力部数ｂ）＝１の場合と（出力部数ｂ）≠１の場合とで異なる計算手順が必要となるため、最初に、（出力部数ｂ）＝１であるか否かが確認される（Ｓ１１）。
【０１０９】
（出力部数ｂ）＝１の場合には、印刷原稿頁数ｄは、出力制限枚数ａ、原稿枚数ｃを用いて、（原稿枚数ｃ）／（出力制限枚数ａ）の式によって設定される
印刷原稿頁数ｄは、必ず自然数に設定される必要があるが、（原稿枚数ｃ）／（出力制限枚数ａ）の商が自然数とならない場合には、その商を越える最小の自然数が印刷原稿頁数ｄに設定される
【０１１０】一方、（出力部数ｂ）≠１の場合には、印刷原稿頁数ｄを求める前に、出力制限枚数ａ、出力部数ｂを用いて、（出力制限枚数ａ）／（出力部数ｂ）の式によって、一部数当たりの出力制限枚数ｅが求められる（Ｓ１３）。そして、印刷原稿頁数ｄは、一部数当たりの出力制限枚数ｅ、原稿枚数ｃを用いて、（原稿枚数ｃ）／（一部数当たりの出力制限枚数ｅ）の式によって設定される（Ｓ１４）。
【０１１１】例えば、出力制限枚数ａ＝７０、出力部数ｂ＝８、原稿枚数ｃ＝３０の場合には、（出力制限枚数ａ）／（出力部数ｂ）＝７０／８＝８余り６の計算により、一部数当たりの出力制限枚数ｅは８枚となる。また、（原稿枚数ｃ）／（一部数当たりの出力制限枚数ｅ）＝３０／８＝３余り６の計算により、１枚の出力用紙に対して印刷されるべき印刷原稿頁数ｄは４枚となる。
【０１１２】すなわち、一部数当たりの出力制限枚数ｅおよび印刷原稿頁数ｄは、必ず自然数に設定される必要があるが、一部数当たりの出力制限枚数ｅについて（出力制限枚数ａ）／（出力部数ｂ）の商が自然数とならない場合には、その商を越えない最大の自然数が一部数当たりの出力制限枚数ｅに設定され、印刷原稿頁数ｄについて（原稿枚数ｃ）／（一部数当たりの出力制限枚数ｅ）の商が自然数とならない場合には、その商を越える最小の自然数が印刷原稿頁数ｄに設定される。
【０１１３】上記Ｓ５の処理によって
印刷原稿頁数ｄが設定されると、上記印刷原稿頁数ｄでの印刷を可能とする出力モード（印刷条件）が選択され
選択される出力モードは、例えば、両面印刷モードや２in１／４in１等のＮin１モードの組み合わせによって与えられる
【０１１４】尚、本実施の形態において、上記Ｓ５、Ｓ６は、それぞれ、特許請求の範囲に記載の演算行程、および印刷条件設定行程に相当する。
【０１１５】上記Ｓ６にて出力モードが設定されると、画像形成装置では、
この出力モードに基づく出力処理を実行する
【０１１６】このように、本実施の形態に係る画像形成装置では、印刷しようとする原稿枚数に対して出力枚数を減らして印刷を行なおうとする場合に、ユーザは出力制限枚数ａおよび出力部数ｂを設定するのみでよく、簡易な操作にて出力処理を実行することが可能となる。
【０１１７】次に、図１に関する上記Ｓ６のステップにおける出力モードの選択／設定方法について以下に説明する。尚、以下の説明では、画像形成装置において選択可能な機能は、出力用紙の裏表面の両方に印刷を行なう両面印刷機能、および出力用紙の１面にＮ枚分の原稿に相当する画像を縮小配置して印刷するＮin１機能があり、これらの機能の組み合わせによって出力モードが設定されるものとする。
【０１１８】例えば、上記Ｓ５のステップにおいて、先の具体例の説明のように、印刷原稿頁数ｄが４枚に設定された場合、出力用紙１枚当たり原稿４頁分以上の印刷を行なうことができる出力モードが選択される。この場合に挙げられる出力モードとしては、４in１での片面出力（図５（ａ）参照）か、若しくは、両面コピーにおける２in１出力（図５（ｂ）参照）によって出力用紙１枚当たり原稿４頁分の印刷を行なうことができる。
【０１１９】尚、ここでの出力モードの設定においては、実際に出力用紙１枚当たりに印刷される原稿の頁数は、印刷原稿頁数ｄに一致する必要はなく、出力用紙１枚当たりに対して少なくとも印刷原稿頁数ｄ以上の原稿が印刷されればよい。例えば、印刷原稿頁数ｄが７枚に設定された場合等には、出力用紙１枚当たりに印刷される原稿頁数を７枚とする出力モードがないため、出力用紙１枚当たりに印刷される原稿頁数を８枚とする出力モード（８in１、または４in１での両面印刷）が選択される。
【０１２０】また、
出力用紙１枚当たりに対して単に印刷原稿頁数ｄ以上の原稿を印刷可能とするだけであれば、少なくともＮ≧ｄとなるＮin１機能を用いた全ての出力モードが選択可能である。しかしながら、通常は、出力用紙１枚当たりに印刷される原稿頁数が、設定された印刷原稿頁数ｄに最も近くなるような出力モードが設定される
【０１２１】出力モードの選択において、上述のように、
選択可能なモードが複数存在する場合には
操作パネル上に表示画面１０１を表示し、実行しようとする出力モードの一つをユーザに示して確認を促す
ユーザが「はい」を選択した場合には、表示されている出力モードによって印刷出力が開始され
【０１２２】また、
表示画面１０１において、ユーザが「いいえ」を選択した場合には、表示画面１０２を表示して、選択可能な他の出力モードをユーザに示して確認を促す
ユーザが「はい」を選択した場合には、表示されている出力モードによって印刷出力が開始され
【０１２３】このように、
表示画面１０１、１０２のような出力モードの設定確認画面において「いいえ」が選択された場合には、違うパターンの出力モードがあればその出力モードの設定確認画面を表示する。また、選択可能な全ての出力モードの設定確認画面において「いいえ」が選択された場合には、ジョブがキャンセルされる
【０１２４】尚、選択可能な全ての出力モードの設定確認画面において「いいえ」が選択された場合のジョブのキャンセルについては、ジョブキャンセルを実行するか否かをユーザに確認し、ユーザによるキャンセル指示の入力を待ってジョブキャンセルを行なうようにしてもよい。この場合、ユーザがジョブのキャンセルを指示しなければ、表示画面１０１に戻るようにすればよい。
【０１２５】また、出力モードの設定確認画面においては、選択可能な全ての出力モードを全て同一画面に表示し、その中から設定する出力モードをユーザに選択させる構成としてもよい。この場合、選択肢の中にジョブのキャンセルを含ませることも可能である。
【０１２６】また、
出力モードの設定確認画面においては
その時の出力枚数を併せて表示するようにしてもよい
　
　上記記載及び図面を含む刊行物２全体の記載から、刊行物２には、以下の発明が記載されていると認められる。
「原画像における印刷要求枚数を確認する印刷要求枚数確認行程と、
出力用紙における印刷出力枚数を認識する印刷出力枚数認識行程と、
上記印刷要求枚数の原画像を上記印刷出力枚数以内の出力用紙に印刷するにあたって、出力用紙１枚あたりに印刷すべき原画像の枚数を演算する演算行程と、
上記演算行程での演算結果に基づいて、上記印刷要求枚数の原画像を上記印刷出力枚数内の出力用紙に印刷可能となる印刷条件を設定する印刷条件設定行程とを有する印刷条件設定方法を用いて、印刷条件の設定を行なう画像形成装置において、
　ユーザは、一部のジョブに対する出力制限枚数（印刷出力枚数）ａを設定し、
　画像読取部３は、セットされた原稿の読み取り動作を開始し、読み取り動作の実施と同時に原稿枚数（印刷要求枚数）ｃをカウントし、
　（出力部数ｂ）＝１の場合には、印刷原稿頁数ｄは、出力制限枚数ａ、原稿枚数ｃを用いて、（原稿枚数ｃ）／（出力制限枚数ａ）の式によって設定されるが、印刷原稿頁数ｄは、必ず自然数に設定される必要があるので、（原稿枚数ｃ）／（出力制限枚数ａ）の商が自然数とならない場合には、その商を越える最小の自然数が印刷原稿頁数ｄに設定され、
　印刷原稿頁数ｄが設定されると、例えば、両面印刷モードや２in１／４in１等のＮin１モードの組み合わせによって与えられる上記印刷原稿頁数ｄでの印刷を可能とする出力モード（印刷条件）が選択され、設定され、
　この出力モードに基づく出力処理を実行するものであって、
　出力用紙１枚当たりに対して単に印刷原稿頁数ｄ以上の原稿を印刷可能とするだけであれば、少なくともＮ≧ｄとなるＮin１機能を用いた全ての出力モードが選択可能であるが、通常は、出力用紙１枚当たりに印刷される原稿頁数が、設定された印刷原稿頁数ｄに最も近くなるような出力モードが設定され、
　選択可能なモードが複数存在する場合には、操作パネル上に表示画面１０１を表示し、実行しようとする出力モードの一つをユーザに示して確認を促し、ユーザが『はい』を選択した場合には、表示されている出力モードによって印刷出力が開始され、
　表示画面１０１において、ユーザが『いいえ』を選択した場合には、表示画面１０２を表示して、選択可能な他の出力モードをユーザに示して確認を促し、ユーザが『はい』を選択した場合には、表示されている出力モードによって印刷出力が開始され、
　表示画面１０１、１０２のような出力モードの設定確認画面において『いいえ』が選択された場合には、違うパターンの出力モードがあればその出力モードの設定確認画面を表示し、また、選択可能な全ての出力モードの設定確認画面において『いいえ』が選択された場合には、ジョブがキャンセルされ、
　出力モードの設定確認画面においては、その時の出力枚数を併せて表示するようにしてもよいものである、
画像形成装置。」（以下「引用発明２」という。）
　
（３）対比
　ａ　本願発明と引用発明２とを比較すると、引用発明２の「『原画像における印刷要求枚数』又は『原稿枚数（印刷要求枚数）ｃ』」、「２in１／４in１等のＮin１」、「『出力モードの設定確認画面において』表示される『その時の出力枚数』」、「『表示画面１０１、１０２のような出力モードの設定確認画面』において『その時の出力枚数を併せて表示する』『操作パネル』」、「ユーザ」及び「画像形成装置」は、それぞれ本願発明の「画像データのデータ数」、「『１枚の用紙に印刷可能な画像の個数を示す』『画像個数』」、「印刷に使用される用紙の枚数である使用用紙枚数」、「印刷枚数表示手段」、「ユーザ」及び「印刷装置」に相当する。
　ｂ　引用発明２は「原画像における印刷要求枚数を確認する印刷要求枚数確認行程」を有するから、画像データのデータ数を取得するデータ取得手段を有するものといえる。
　ｃ　引用発明２は「２in１／４in１等のＮin１モード」で印刷可能だから、複数種類の画像個数であって、各々が１枚の用紙に印刷可能な画像の個数を示す、前記複数種類の画像個数を記憶する画像個数記憶手段を有するものといえる。
　ｄ　引用発明２は「出力用紙１枚当たりに対して単に印刷原稿頁数ｄ以上の原稿を印刷可能とするだけであれば、少なくともＮ≧ｄとなるＮin１機能を用いた全ての出力モードが選択可能で」「選択可能なモードが複数存在する場合には、操作パネル上に表示画面１０１を表示し、実行しようとする出力モードの一つをユーザに示して確認を促し、ユーザが『はい』を選択した場合には、表示されている出力モードによって印刷出力が開始され、表示画面１０１において、ユーザが『いいえ』を選択した場合には、表示画面１０２を表示して、選択可能な他の出力モードをユーザに示して確認を促し、ユーザが『はい』を選択した場合には、表示されている出力モードによって印刷出力が開始され、表示画面１０１、１０２のような出力モードの設定確認画面において『いいえ』が選択された場合には、違うパターンの出力モードがあればその出力モードの設定確認画面を表示」するものであり、「出力モードの設定確認画面においては、その時の出力枚数を併せて表示する」ものであるから、取得されたデータ数と、複数種類の画像個数と、に基づいて、印刷に使用される用紙の枚数である使用用紙枚数を、印刷に使用される各用紙に印刷可能な画像の個数と共に、表示する印刷枚数表示手段を有するものといえる。
　ｅ　引用発明２は「出力用紙１枚当たりに対して単に印刷原稿頁数ｄ以上の原稿を印刷可能とするだけであれば、少なくともＮ≧ｄとなるＮin１機能を用いた全ての出力モードが選択可能で」「選択可能なモードが複数存在する場合には、操作パネル上に表示画面１０１を表示し、実行しようとする出力モードの一つをユーザに示して確認を促し、ユーザが『はい』を選択した場合には、表示されている出力モードによって印刷出力が開始され、表示画面１０１において、ユーザが『いいえ』を選択した場合には、表示画面１０２を表示して、選択可能な他の出力モードをユーザに示して確認を促し、ユーザが『はい』を選択した場合には、表示されている出力モードによって印刷出力が開始され、表示画面１０１、１０２のような出力モードの設定確認画面において『いいえ』が選択された場合には、違うパターンの出力モードがあればその出力モードの設定確認画面を表示」するものであり、「出力モードの設定確認画面においては、その時の出力枚数を併せて表示する」ものであり、Ｎ≧ｄとなるＮin１を選択すると、その時の出力枚数が定まるとともに、各用紙１枚当たりの画像の個数、配置、及び画像サイズが定まることは当業者に自明であるから、取得されたデータ数と、複数種類の前記使用用紙枚数のうちのユーザによって選択された１種類の前記使用用紙枚数と、に基づいて、各用紙１枚当たりの画像の個数、配置、及び画像サイズを決定する印刷パターン決定手段を有するものといえる。
　ｆ　引用発明２は「この出力モードに基づく出力処理を実行する」ものであるから、印刷パターン決定手段による決定に基づいて印刷を実行する印刷手段を有するものといえる。
　ｇ　上記ａないしｆから、本願発明と引用発明２は、
「画像データのデータ数を取得するデータ取得手段と、
　複数種類の画像個数であって、各々が１枚の用紙に印刷可能な画像の個数を示す、前記複数種類の画像個数を記憶する画像個数記憶手段と、
　取得されたデータ数と、前記複数種類の画像個数と、に基づいて、印刷に使用される用紙の枚数である使用用紙枚数を、印刷に使用される各用紙に印刷可能な画像の個数と共に、表示する印刷枚数表示手段と、
　前記取得されたデータ数と、複数種類の前記使用用紙枚数のうちのユーザによって選択された１種類の前記使用用紙枚数と、に基づいて、各用紙１枚当たりの画像の個数、配置、及び画像サイズを決定する印刷パターン決定手段と、
　前記印刷パターン決定手段による決定に基づいて印刷を実行する印刷手段と、
　を有するものであることを特徴とする印刷装置。」
の点で一致し、以下の点で一応相違している。
　
［相違点２］印刷枚数表示手段に関し、本願発明は「取得されたデータ数と、前記複数種類の画像個数と、に基づいて、印刷に使用される用紙の枚数である使用用紙枚数を、印刷に使用される各用紙に前記印刷可能な画像の個数と共に、
複数種類
　
（３）判断
　ａ　本願発明は、「複数種類」の表示タイミングが特定されていないから、「複数種類を順次表示する」ことを含んでいるものと解して以下、検討する
　引用発明２は「選択可能なモードが複数存在する場合には、操作パネル上に表示画面１０１を表示し、実行しようとする出力モードの一つをユーザに示して確認を促し、ユーザが『はい』を選択した場合には、表示されている出力モードによって印刷出力が開始され、表示画面１０１において、ユーザが『いいえ』を選択した場合には、表示画面１０２を表示して、選択可能な他の出力モードをユーザに示して確認を促し、ユーザが『はい』を選択した場合には、表示されている出力モードによって印刷出力が開始され、表示画面１０１、１０２のような出力モードの設定確認画面において『いいえ』が選択された場合には、違うパターンの出力モードがあればその出力モードの設定確認画面を表示し」「出力モードの設定確認画面においては、その時の出力枚数を併せて表示する」ものであるから、「いいえ」を選択することにより、複数種類の表示を順次行うものといえるから、相違点２は、実質な相違点であるとはいえない。
　ｂ　本願の発明の詳細な説明を参酌すると、複数種類を異なるタイミングで表示することは記載されていないから、本願発明の「複数種類表示する」を「複数種類同時に表示する」と解して、以下、検討する。
　表示手段にどのような表示をするかは当業者が適宜設定すべきことであるところ、引用発明２は「出力用紙１枚当たりに対して単に印刷原稿頁数ｄ以上の原稿を印刷可能とするだけであれば、少なくともＮ≧ｄとなるＮin１機能を用いた全ての出力モードが選択可能である」から、たくさんの選択肢が有ることをユーザに知らせることができるように、複数種類同時に表示することは当業者が容易になし得る程度のことである（複数種類同時に表示することが当業者に容易であることは、刊行物１でも裏付けられる。）。
　よって、引用発明２において、本願発明の上記相違点２に係る構成となすことは、当業者が容易になし得る程度のことであり、それにより得られる効果も当業者が予測できる範囲のものである。
　
（４）むすび
　以上のとおり、本願発明は、刊行物２に記載された発明であるから特許法第２９条第１項第３号に該当するか、刊行物２に記載された発明に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。